(57)【特許請求の範囲】
【請求項１】
主データを記憶する主データ記憶手段と、
副データを記憶する副データ記憶手段と、
前記主データを視聴する際の条件を設定する設定手段と、
前記設定された条件に基づいて、前記主データ記憶手段から読み出される主データの時間軸上の所定位置に、前記副データ記憶手段から読み出される副データを挿入し、前記主データ及び副データを再生する制御手段と、
を備え、
前記主データには、前記副データを挿入可能な位置を示す挿入制御情報が対応付けられており、
前記挿入制御情報は、前記主データの所定位置に予め記録されており、
前記条件とは、前記主データの視聴に対して支払う料金の条件を示す課金条件であり、
前記挿入制御情報には、前記課金条件に対応する課金ランク情報が含まれており、
前記制御手段は、前記課金ランク情報と前記課金条件とに基づいて、支払金額が低下するほど前記副データの視聴時間が増大するように、前記主データの所定位置に前記副データを挿入する
データ記録再生装置。
【請求項２】
前記条件には、さらに、視聴者の属性情報を示す視聴者属性条件が含まれており、前記制御手段は、前記視聴者属性条件に基づいて、前記主データに挿入する副データを選択する請求項１に記載のデータ記録再生装置。
【請求項３】
前記副データは、前記制御手段によって前記主データに挿入するまでの間は前記主データとは独立して取り扱われ、前記主データと関連なく、前記副データ記憶手段の記憶内容を更新可能である請求項１または請求項２のいずれかに記載のデータ記録再生装置。
【発明の詳細な説明】
【０００１】
【発明の属する技術分野】
本発明は、例えば、予め蓄積された映画やドラマ等の映像コンテンツに広告を挿入しながら再生できるデータ記録再生装置及びシステムに関する。
【０００２】
【従来の技術】
従来のテレビジョン放送等では、番組の途中や番組と番組の間で広告（以下、「ＣＭ」とも言う）を流すことにより、放送局はスポンサーから広告料を得て、番組制作費等をまかなうようになっている。即ち、ＣＭ放映による広告料収入によって運営されており、視聴者は無料で番組を視聴することができる。衛星放送等では有料放送も実現されているが、有料放送の場合には、視聴者から所定の金額を徴収することにより、番組制作費等をまかなうようになっている。従って、有料放送の場合は、ＣＭを流してスポンサーから広告料を得る必要はない。
【０００３】
一方、レンタルビデオ店の場合は、映画等が記録されたビデオテープやＤＶＤ（Digital Versatile Disc）等の記録媒体を有料で貸し出す。有料であるため、基本的にＣＭは含まれておらず、関連作品等を案内する若干のＣＭが本編開始前または終了後に含まれているに過ぎない。もっとも、いったん記録媒体に記録された後では、その記録内容を更新することができないため、通常のＣＭを記録媒体に予め記録しても、広告的にはあまり効果がない。適切な時機に適切な視聴者に視聴されないと、ＣＭの効果は低下する。
【０００４】
【発明が解決しょうとする課題】
上述した通り、従来のテレビジョン放送では、サービスエリア内に存在する全視聴者に向けて一律に同一内容のＣＭを流すに過ぎないため、所定の広告効果を出すためには、ターゲットとする消費者が視聴していると思われる時間帯や番組を狙って、頻繁にＣＭを放送する必要があり、広告効果が低い。また、番組の種類を問わず、殆ど全ての番組の途中で一律にＣＭを流すため、例えば、番組の流れがＣＭによって頻繁に分断されることを嫌う視聴者は、有料放送に加入して所望の番組を楽しむことになる。
【０００５】
一方、全ての場面で全てのＣＭが視聴者に拒否されているわけではない。ＣＭは、新商品や新ライフスタイルに関する情報を手軽に入手できる情報源の一つとして、視聴者に重宝されており、また、優れたＣＭは優れた番組と同様の人気を有する。即ち、ＣＭも視聴者が視聴を希望する情報の一部であるから、ＣＭを完全に廃した有料放送は、視聴者にとっても面白みに欠ける面がある。
【０００６】
また、レンタルビデオのように、コンテンツが記録媒体に固定されている場合は、新商品の流通等に合わせてタイムリーにＣＭを流すことができない。
【０００７】
本発明は、上述した種々の問題に鑑みてなされたもので、その目的は、視聴者の都合に応じて副データを主データに挿入し再生することができ、視聴者の利便性を向上させることができるデータ記録再生装置及びシステムを提供することにある。また、本発明の他の目的は、視聴者及びデータの提供者の双方にメリットをもたらすデータ記録再生装置及びシステムを提供することにある。本発明のさらなる目的は、後述する実施の形態の記載から明らかになるであろう。
【０００８】
【課題を解決するための手段】
上記課題を解決するために、本発明に係るデータ記録再生装置は、視聴する前に、主データ及び副データをそれぞれの記憶手段に予め記憶させている。主データと副データとはそれぞれ別個の独立したデータとして取り扱われ、主データは主データ記憶手段に、副データは副データ記憶手段にそれぞれ蓄積される。
【０００９】
視聴者は、主データを視聴する前に、主データを視聴するときの条件を設定手段によって設定する。制御手段は、この設定された条件に基づいて、主データの時間軸上の所定の位置に副データを挿入して再生する。
【００１０】
これにより、視聴者は、設定した条件に応じて副データを視聴することができ、利便性が向上する。
【００１１】
ここで、主データとしては、例えば、映画、ドラマ、ニュース番組、スポーツ番組、娯楽番組等の番組データを挙げることができる。また、副データとしては、広告（ＣＭ）データを挙げることができる。主データは時間軸を有する。即ち、再生開始後、表示される内容は時間の経過に伴って変化する。
【００１２】
主データには、副データを挿入可能な位置を示す挿入制御情報を対応付けておくことができる。これにより、制御手段は、挿入制御情報に基づいて、副データの挿入位置を決定することができる。
【００１３】
挿入制御情報は、主データの所定位置に予め記録しておくことができる。あるいは、挿入制御情報を主データ、副データとは別体のデータとして構成することもできる。
【００１４】
一方、視聴者が設定する条件として、主データの視聴に対して支払う料金の条件を示す課金条件を用いることができる。この場合、制御手段は、課金条件に基づいて、支払金額が低下するほど副データの視聴時間が増大するように、主データの所定位置に副データを挿入する。
【００１５】
視聴者の支払金額が所定値以上の場合は、副データの挿入をやめ主データのみ再生するようにすることもできる。逆に、支払い金額が低い場合は、副データの挿入時間（挿入回数又は挿入量）が増大するものの、主データの再生は行われる。
【００１６】
挿入制御情報には、課金条件に対応する課金ランク情報を含めておくことができる。この場合、制御手段は、課金ランク情報と課金条件とに基づいて、支払金額が低下するほど副データの視聴時間が増大するように、主データの所定位置に副データを挿入する。
【００１７】
例えば、課金条件として、ランク１（支払金額：高），ランク２（支払金額：中），ランク３（支払金額：低）の３段階を用意し、課金ランク情報には、これらランク１〜３に対応する課金ランク情報ＬＡ，ＬＢ，ＬＣを設定しておく。そして、ランク１にはＬＡ、ランク２にはＬＡ及びＬＢ、ランク３にはＬＡ，ＬＢ，ＬＣの全てをそれぞれ対応付けておく。これにより、制御手段は、視聴者の設定した課金条件がランク１の場合には、課金ランク情報にＬＡがセットされた位置にだけ副データを挿入し、また、課金条件がランク２の場合には、課金ランク情報にＬＡ，ＬＢがセットされた位置に副データを挿入することができる。従って、制御手段は、課金条件のランクと主データに対応付けられた課金ランク情報とに基づいて、副データを挿入すべき位置を検出することができる。
【００１８】
視聴者が設定する条件には、前記課金条件に加えて、さらに、視聴者の属性情報を示す視聴者属性条件を含めることができる。これにより、制御手段は、視聴者属性条件に基づいて、主データに挿入する副データを選択できる。
【００１９】
視聴者の属性情報としては、例えば、年齢、性別、家族構成、居住地、趣味、関心や興味の対象等を挙げることができる。制御手段は、予め記憶された副データの中から、視聴者に適すると判断される副データを選択し、この選択された副データを主データの所定位置に挿入する。
【００２０】
種々の方法を採用しうるが、副データの一つの選択方法としては、視聴者の属性情報に応じて、積極的に副データを選択することができる。例えば、男性には自動車やスポーツ等の男性向けの副データを優先して選択したり、女性には化粧品やファッション等の女性向けの副データを優先して選択するような場合である。これとは逆に、他の一つの選択方法としては、視聴者の属性情報に応じて、ある種の副データが選択されないようにすることもできる。例えば、禁煙や禁酒をしている視聴者にはこれらの嗜好品に関する副データを選択対象から除外したり、未成年の同居者がいる視聴者には未成年者に好ましくない映像の含まれる副データを選択対象から除外するような場合である。積極的に選択する方法と排除する方法の両者を採用することもできるし、これ以外の選択方法を採用することもできる。
【００２１】
副データは、制御手段によって主データに挿入するまでの間は主データとは独立して取り扱われ、主データと関連なく、副データ記憶手段の記憶内容を更新可能であることが好ましい。
【００２２】
主データと副データとを分離して取り扱い、副データのみを随時更新可能とすることにより、副データの利用価値の寿命が主データより短い場合でも、利用価値のある副データを視聴者に提供することができる。例えば、名作映画や教養番組などは、その利用価値の寿命が長く、複数回の視聴に耐えるものである。一方、ＣＭは、その時々の新商品を案内するものであるから、時間の経過と共に利用価値が減じていく。特定期間内だけのキャンペーンに関するＣＭは、その期間終了後に放映されても意味がないばかりか、視聴者に誤解を与えるおそれすらある。そこで、主データと副データとを分離し、主データと関連なく副データを更新可能とすることで、視聴者及び副データ提供者（例えば、スポンサー）の双方にメリットを与えることができる。
【００２３】
本発明の別の観点に従えば、配信装置、再生装置及び課金処理装置を備えたデータ記録再生システムとして捉えることができる。
【００２４】
配信装置は、副データを挿入可能な時間軸上の位置を示す挿入制御情報が予め対応付けられた主データを配信する。再生装置は、予め設定された課金条件と挿入制御情報に基づいて、配信装置から受信して記憶された主データの所定位置に副データを挿入して再生する。課金処理装置は、再生装置による視聴結果情報に基づいて視聴者及び副データの提供者に請求する金額を算出する。
【００２５】
副データは、主データと共に（但し、主データと副データとは分離した状態で）配信装置から再生装置に送信することができる。あるいは、配信装置は、主データを記録した記録媒体を配布することにより主データを配信し、副データは通信ネットワークや放送波を利用して主データとは別に再生装置に送信することもできる。
【００２６】
再生装置による視聴結果は、視聴結果情報として課金処理装置に送られる。課金処理装置は、視聴結果情報に基づいて、視聴者及びデータ提供者に料金を請求する。即ち、課金処理装置は、主データの視聴結果と副データの視聴結果に基づいて、視聴者に請求する料金を算出する。例えば、主データの視聴料金から副データの視聴による割引金額分を減じて最終的な料金を算出することができる。一方、課金処理装置は、主データに挿入して再生された副データの再生回数等に応じて、副データの提供者に料金を請求する。従って、視聴者及び副データの提供者の双方から、双方の受けるメリットに応じた金額をそれぞれ徴収することができる。
【００２７】
本発明の別の観点に従えば、視聴時には一連のものとして再生される主データと副データとをそれぞれ別個独立に記憶しておき、予め設定された料金体系に基づいて、主データの所定位置に副データを挿入して再生させるデータの記録再生方法として把握することもできる。
【００２８】
また、本発明は、コンピュータプログラムとして捉えることもできる。このプログラムは、通信ネットワークを介して配信したり、あるいは、記録媒体に記録して配布することができる。記録媒体としては、例えば、CD-ROM、DVD-ROM、ハードディスク、メモリ等の種々のものを利用可能である。
【００２９】
【発明の実施の形態】
以下、図１〜図９に基づき、本発明の実施の形態を説明する。まず、図１〜図７は本発明の第１の実施の形態に係り、図１は、データ記録再生システムの全体構成を概略的に示す構成説明図である。本システムでは、従来のリアルタイム視聴方式と異なり、番組データやＣＭデータを各視聴者の装置に予め蓄積しておき、各視聴者が自分の都合のよい時間に所望の番組を再生して閲覧することができる蓄積型視聴方式を採用している点に留意すべきである。
【００３０】
コンテンツ作成装置１は、例えば、番組制作会社やスポンサー等により管理される装置であり、映画やドラマ等の番組データ（主データ）を作成するものである。また、コンテンツ作成装置１は、商品案内等のＣＭデータ（副データ）を作成する。但し、番組データを作成するコンテンツ作成装置１とＣＭデータを作成するコンテンツ作成装置１とは、それぞれ別体の装置である場合もある。図１中では、説明の便宜上、番組データ及びＣＭデータの両方が同一のコンテンツ作成装置１により作成され、配信装置２に送られる。ここで、番組データとＣＭデータとが同一のコンテンツ作成装置１により作成される場合でも、番組データとＣＭデータとは別個独立のデータとして作成され、互いに分離した状態で送信されるようになっている。
【００３１】
配信装置２は、例えば、放送局等により管理される装置であり、番組データ１０及びＣＭデータ２０を再生装置３に送信するものである。配信装置２は、例えば、ディジタル放送波やインターネット等のチャネルを介して各視聴者の再生装置３に番組データ１０及びＣＭデータ２０を送信することができる。
【００３２】
再生装置３は、例えば、各家庭やオフィスあるいはホテル等に設置されるものであり、表示装置４と接続されている。再生装置３は各表示装置４毎に設けることもできるし、複数台の表示装置にそれぞれ個別の又は同一のデータを供給することもできる。再生装置３には、視聴者が予め種々の条件を設定することができる。設定する条件としては、「課金条件」としての課金モデルの指定、「視聴者属性条件」としての視聴条件がある。これら各条件の詳細は後述する。
【００３３】
再生装置３は、設定された条件に基づいて、番組データの所定位置にＣＭデータを挿入し、このデータを表示装置４で表示可能な形式（例えばＮＴＳＣ信号、ＲＧＢ信号等）に変換して、表示装置４に送信する。番組データとＣＭデータとの合成及び再生方法には種々の方法を採用することができる。一つの方法として、番組データの所定位置にＣＭデータを挿入して表示用のデータを予め生成し、この表示用データをＮＴＳＣ信号等に変換して表示装置４に送信することができる。あるいは、他の一つの方法として、番組データの再生と同期させて所定時刻に所定時間だけＣＭデータを再生することもできる。即ち、番組データの再生中に、所定のマークを検出した場合は、番組データの再生を所定時間だけ中断し、その時間内にＣＭデータを再生して表示装置４に送信することができる。
【００３４】
再生装置３から送信されるコンテンツの構成は、視聴者が設定した条件によってそれぞれ相違する。例えば、高額の課金を受け入れる視聴者には、ＣＭデータが排除され、番組データのみが送信される。本発明では、視聴者が許容する課金ランクに応じて、ＣＭデータの挿入量（挿入時間）が増大するようになっている。
【００３５】
課金処理装置５は、再生装置３から受信した視聴データに基づいて、スポンサー及び視聴者双方に請求する料金を算出する。また、視聴データの一部又は全部は、課金処理装置５から配信装置２にも提供される。決済処理装置６は、例えば、銀行等の金融機関により管理されるもので、課金処理装置５から受信した課金情報（請求書）に基づいて、視聴者の口座から視聴料金を引き落とす等の処理を行う。
【００３６】
図２は、番組データ及びＣＭデータの構成を示す説明図である。まず、図２（ａ）は番組データ１０の構成を示す。番組データ１０には、所定位置に「挿入制御情報」としてのＣＭ挿入制御情報１２が予め設定されている。各ＣＭ挿入制御情報１２には、課金ランクＡ〜Ｃの種別が含まれている。各ＣＭ毎にＣＭ挿入制御情報１２をそれぞれ割り当てることもできるし、一つのＣＭ挿入制御情報１２で複数のＣＭを挿入できるように構成することもできる。後者の場合は、ＣＭ挿入制御情報１２に、挿入可能なＣＭ数やＣＭ放映時間等の管理情報を含めるのが好ましい。ＣＭ挿入制御情報１２は、番組の内容や放送開始からの経過時間等に応じて区切られたデータ１１毎に設定されている。なお、番組の開始（番組データ１の前）と番組終了後（番組データｎの後）にもＣＭ挿入制御情報１２を設けることができる。
【００３７】
図２（ｂ）は、ＣＭデータ２０の構成を示す。ＣＭデータ２０には、ランク情報２１，再生制御情報２２，スポンサー情報２３，ＣＭ属性情報２４，ＣＭデータ本体２５が含まれている。
【００３８】
ランク情報２１には、課金ランクＡ〜Ｃのいずれか一つが設定される。再生制御情報２２には、例えば「早送り禁止」等のような再生方法を制御するための情報が設定される。スポンサー情報２３には、例えば、スポンサー名やスポンサーに割り当てられた識別情報（ＩＤ）等が設定される。ＣＭ属性情報２４には、例えば、ＣＭの種別（食品、薬品、化粧品、自動車、ファッション、旅行、酒等）、視聴制限年齢（１２才未満は視聴不適、１８才未満は視聴不適等）、ＣＭの対象者（男性、女性、年齢層、居住地等）、ＣＭ有効期間等の情報を設定することができる。なお、再生制御情報２２は必ずしもＣＭデータ２０内に設ける必要はなく、ＣＭデータ２０とは別体のデータとして構成してもよい。
【００３９】
図２（ｃ）は、番組データ１０中に設定されるＣＭ挿入箇所を示す説明図である。上述した通り、番組中の所定箇所には、ランク情報を有するＣＭ挿入制御情報１２が予め設定されている。
【００４０】
図３は、再生装置３の構成を示す説明図である。「主データ記憶手段」としての番組データ記憶部３０には、配信装置２から受信した番組のデータが予め蓄積されている。「副データ記憶手段」としてのＣＭデータ記憶部３１には、配信装置２から受信した複数のＣＭデータが予め登録されている。
【００４１】
データ選択部３２は、設定された条件に基づいて、視聴者の希望する番組データを番組データ記憶部３０から読出すと共に、ＣＭデータをＣＭデータ記憶部３１から読出すようになっている。
【００４２】
入力部３３は、例えば、リモートコントローラと表示装置４上に表示されるユーザインターフェース等から構成されるもので、視聴を希望する番組、視聴時の課金ランク、視聴条件、再生方法の指示（再生開始、早送り、巻き戻し等）を行うためのものである。入力部３３を介して、番組の指定や課金ランク等が入力されると、これらの値は設定登録部３４に登録される。データ選択部３２は、設定登録部３４から受け渡された情報に基づいて、番組データ及びＣＭデータを選択する。なお、課金ランク及び視聴条件は、番組を視聴するたびに毎回入力することもできるし、最新の情報を利用することもできる。また、課金ランク及び視聴条件の初期値を設定登録部３４に予め設定しておくこともできる。
【００４３】
なお、初期値は、視聴者にとって不利にならないような値（例えば、課金ランクを最低ランクにする等）であるのが好ましい。また、番組を指定する情報は、入力部３３から直接データ選択部３２に入力してもよい。さらに、入力部３３は、ボタン操作を行うリモートコントローラに限らず、音声認識によって操作可能であってもよい。
【００４４】
データ組込部３５は、選択された番組データの所定位置に選択されたＣＭデータを挿入するものである。再生制御部３６は、データ組込部３５から入力されたデータを、表示装置４で表示可能な形式のデータ（ＮＴＳＣ信号やＲＧＢ信号等）に変換して再生するものである。番組の視聴が終了すると、視聴結果報告部３７は、例えば、視聴された番組、視聴されたＣＭデータ、視聴者の属性、視聴時間等の情報から視聴データを生成し、この視聴データを課金処理装置５に送信する。上述の通り、課金処理装置５は、視聴者及びスポンサー双方に請求する料金を算出する。
【００４５】
図４は、ＣＭデータの選択に際して参照されるテーブルの一例を示す。図４（ａ）は、視聴者の属性とＣＭ種別の関連度を対応付けた属性／ＣＭ対応テーブルを模式的に示すものである。図に示すように、視聴者の各属性（独身／既婚の別、性別、年齢層、家族構成等）毎に、関連するＣＭの種別が予め対応付けられている。図４（ｂ）は、各ＣＭの種別毎のＣＭ管理テーブルである。図に示すように、各ＣＭの種別毎に、例えば、商品名、スポンサー名、優先度、有効期限、再生回数、視聴年齢制限の有無、ＣＭデータ格納先アドレス等がそれぞれ対応付けられている。
【００４６】
図５は、課金ランクに応じてＣＭデータが挿入される様子を示す説明図である。図５（ａ）に示すように、ＣＭ挿入制御情報１２を有する番組データとＣＭデータとは、それぞれ互いに独立した別個のデータファイルとして取り扱われ、蓄積される。図５（ｂ）に示すように、課金モデル１は、設定される課金ランクがＥであり、最も高額の視聴料を支払うモデルである。従って、課金モデル１を視聴者が選択した場合は、所望した番組データのみが再生されて表示され、ＣＭデータの挿入は行われない。図５（ｃ）に示すように、課金モデル２は、課金モデル１よりも安価に設定されているが、やや高額な視聴料を支払うモデルである。
課金モデル２に設定された課金ランクはＡである。従って、ＣＭ挿入制御情報中、ランクＡ以上のランクを有するＣＭ挿入位置にＣＭデータが挿入される。なお、本実施例では、ランクＡを最高ランクとするため、ランクＡのＣＭ挿入位置のみが選択されることになる。なお、図５（ｂ）〜（ｅ）中では、番組データを白い矩形で示し、ＣＭデータを斜線付き矩形で示す。
【００４７】
図５（ｄ）に示すように、課金モデル３には、課金ランクＢが設定されている。課金モデル３を選択した場合の視聴料は、課金モデル２よりも低額となっている。この場合、ランクＢ以上のランクを有するＣＭ挿入位置（ランクＡ及びランクＢを有するＣＭ挿入位置）が選択される。図５（ｅ）に示すように、課金モデル４は、最低料金のモデルであり、課金ランクにはＣが設定されている。従って、視聴者が課金モデル４を選択した場合は、ランクＣ以上のランクを有するＣＭ挿入位置、即ち、全てのＣＭ挿入制御情報が示す位置にＣＭデータが挿入される。なお、課金モデル４の設定料金を有料とするか無料とするかは、任意に設定することができる。また、同一の課金モデルの場合であっても、挿入するＣＭ種別毎に料金を変更することもできる。例えば、スポンサーからの広告料が高額なＣＭを中心に挿入する場合は、より低額な料金にすることも可能である。
【００４８】
図６は、再生装置３による再生処理の概要を示すフローチャートである。図中では、ステップを「Ｓ」と略記する。
【００４９】
まず、番組データ記憶部３０に予め蓄積されている番組の一覧表（番組表）を表示装置４に表示させる（Ｓ１）。そして、視聴者が視聴を希望する番組を選択するまで待機する（Ｓ２）。なお、一つの番組を指定しても良いし、複数の番組を指定してもよい。複数の番組を指定する場合は、その再生順序も指示できるようにしてもよい。番組が選択された場合は、予め設定されている視聴者条件を読出す（Ｓ３）。次に、各課金モデルの説明と表示を行う（Ｓ４）。例えば、各課金モデル毎の視聴料金や挿入されるＣＭデータの数、ＣＭの合計時間等を表示する。視聴者が課金モデルを選択すると（S5:YES）、選択された番組データが番組データ記憶部３０から読み出される（Ｓ６）。また、後述のＣＭ選択処理により選択されたＣＭデータがＣＭデータ記憶部３１から読み出される（Ｓ６）。
【００５０】
表示すべきデータが決定したところで、再生が開始される（Ｓ７）。本実施の形態では、番組データを再生しながら所定の位置でＣＭを挿入し再生する。即ち、ＣＭ挿入位置に達したか否かを判定し（Ｓ８）、課金ランクにより定まるＣＭ挿入位置に達した場合には（S8:YES）、選択されたＣＭデータを挿入し再生する（Ｓ９）。ＣＭ挿入位置以外の場合は（S8:NO）、番組データの再生を続行する（Ｓ１０）。番組データ及びＣＭデータの全ての再生が終了するまで、Ｓ８〜Ｓ１０の処理が繰り返される（Ｓ１１）。再生が終了した場合は（S11:YES）、視聴データを作成して課金処理装置５に送信する（Ｓ１２）。
【００５１】
次に、図７は、ＣＭ選択処理を示すフローチャートである。まず、視聴者の属性やＣＭの優先度等に基づいて、挿入候補のＣＭを選択する（Ｓ２１）。例えば、図４と共に上述した各テーブルを参照することにより、性別や年齢あるいは家族構成等に応じたＣＭを候補として選択する。また、期間限定キャンペーン中のＣＭのように、その寿命が短いＣＭには高い優先度が設定されており、このような高い優先度を有するＣＭが優先して選択される。
【００５２】
次に、挿入されるＣＭについて、視聴者からの明示の設定がされているか否かを判定する（Ｓ２２）。視聴者は、積極的に視聴を希望するＣＭ種別やスポンサー名等を予め指定することができる。逆に、視聴者は、視聴を拒否するＣＭ種別やスポンサー名等を予め指定することもできる。視聴者が希望するＣＭ種別等がある場合は、視聴者の属性にかかわらず、その希望された種別のＣＭが挿入候補リストに追加される（Ｓ２３）。一方、視聴者の属性に基づいて不適当と思われるＣＭや明示的に拒否されたＣＭは、挿入候補リストから削除される（Ｓ２４）。
【００５３】
次に、挿入候補リストに残ったＣＭの数が予め設定された挿入可能数以下であるか否かを判定する（Ｓ２５）。挿入可能数を上回るＣＭが候補として選択された場合は（S25:NO）、候補に挙がったＣＭの中から優先度に応じてＣＭを選択する（Ｓ２６）。ＣＭの優先度は、例えば、再生回数やスポンサーからの広告料等に基づいて設定できる。そして、選択されたＣＭのデータをＣＭデータ記憶部３１から読出し（Ｓ２７）、読み出されたＣＭの再生回数を更新する（Ｓ２８）。
なお、再生回数の更新は、そのＣＭが実際に再生された後で行うようにしてもよい。
【００５４】
このように構成される本実施の形態によれば、視聴者が設定する条件に応じて、ＣＭデータを挿入するため、各視聴者にそれぞれ適したＣＭを流すことができる。
【００５５】
視聴者は、課金モデル（料金体系）を選択することにより、ＣＭ挿入の有無や量をある程度調整できるため、視聴者の利便性が向上する。また、課金ランクを下げるほど、ＣＭ挿入量が増大して料金が安くなり、課金ランクを上げるほどＣＭ挿入量が低下して料金が高くなるので、視聴者は視聴を希望する番組の性質等に応じて、料金及びＣＭ挿入量を選択することができる。
【００５６】
スポンサー側から見れば、視聴者の属性に応じてＣＭが再生されるため、そのＣＭがターゲットとする視聴者に視聴させることができ、これにより広告効果が向上する。
【００５７】
放送局側あるいは番組制作者側から見れば、それぞれの受けるメリットに応じて、視聴者及びスポンサーからそれぞれ料金を徴収できるため、複数の収入源から番組制作費等を回収することができる。
【００５８】
番組データとＣＭデータとを別々のデータとして分離し、それぞれ別の記憶部に蓄積させるため、ＣＭデータのみを容易に入れ替えることができ、タイムリーなＣＭを提供することができる。
【００５９】
次に、図８は、本発明の第２の実施の形態に係るデータ記録再生システムの全体概要を示す説明図である。なお、以下の記載では、上述した構成要素と同一の構成要素には同一の符号を付し、その説明を省略するものとする。
【００６０】
本実施の形態の特徴は、番組データを記録媒体１０ａに固定して視聴者に配信させる点にある。即ち、映画やアニメーションあるいはドラマ等の番組データは、例えば、DVD-ROMや光磁気ディスク等の大容量の記録媒体１０ａに記録され、流通市場に置かれる。この記録媒体１０ａは、例えば、通信販売、インターネット上の仮想店舗、コンビニエンスストア、レンタルビデオ店等の各チャネルを介して視聴者の手元に渡る。視聴者は、記録媒体１０ａに記録された番組データを読み出させて、再生装置３の番組データ記憶部３０に記憶させる。あるいは、番組データを視聴するたびに、記録媒体１０ａから番組データをその都度読出す構成でもよい。
【００６１】
ＣＭデータは、配信装置２からディジタル放送波やインターネット等のチャネルを通じて再生装置３に送信され、ＣＭデータ記憶部３１に記憶される。
【００６２】
次に、図９は、本発明の第３の実施の形態に係り、番組データの構成を示す説明図である。本実施の形態の特徴は、番組データ内にＣＭ挿入制御情報を予め埋め込むのではなく、ＣＭ挿入制御情報を番組データとは別のデータとして構成する点にある。
【００６３】
これにより、番組データをより簡単に制作することができる。また、既に作成されているＣＭ挿入制御情報を再利用できるため、連続ドラマ等の番組構成がほぼ定まっている番組の場合には、同じＣＭ挿入制御情報を繰り返し使用することができる。
【００６４】
なお、本発明は、上述した各実施の形態に限定されない。当業者であれば、実施の形態で述べた構成に新たな構成要素を追加したり、削除したり、変更等したりして種々の変形を行うことができる。
【００６５】
【発明の効果】
以上詳述した通り、本発明に係るデータ記録再生装置及びシステムによれば、視聴者の設定した条件に基づいて、主データに挿入する副データ量を制御するため、利便性が向上する。
【図面の簡単な説明】
【図１】本発明の第１の実施の形態に係るデータ記録再生システムの全体構成を示す説明図である。
【図２】各データの構成を示す説明図である。
【図３】再生装置の構成を示す説明図である。
【図４】図４（ａ）は、視聴者の属性とＣＭ種別を対応づけたテーブルを示す説明図、図４（ｂ）はＣＭ種別毎の管理テーブルを示す構成説明図である。
【図５】課金モデルによってＣＭデータの挿入量が異なる様子を示す説明図である。
【図６】再生処理を示すフローチャートである。
【図７】ＣＭ選択処理を示すフローチャートである。
【図８】本発明の第２の実施の形態に係るデータ記録再生システムの全体構成を示す説明図である。
【図９】本発明の第３の実施の形態に係るデータ記録再生システムに用いられる番組データの構成を示す説明図である。
【符号の説明】
１  コンテンツ作成装置
２  配信装置
３  再生装置
４  表示装置
５  課金処理装置
６  決済処理装置
１０  番組データ
１０ａ  記録媒体
１２  ＣＭ挿入制御情報
２０  ＣＭデータ
３０  番組データ記憶部
３１  ＣＭデータ記憶部
３２  データ選択部
３３  入力部
３４  設定登録部
３５  データ組込部
３６  再生制御部
３７  視聴結果報告部
【図１】
0004567921.tif 000002
【図２】
0004567921.tif 000003
【図３】
0004567921.tif 000004
【図４】
0004567921.tif 000005
【図５】
0004567921.tif 000006
【図６】
0004567921.tif 000007
【図７】
0004567921.tif 000008
【図８】
0004567921.tif 000009
【図９】
0004567921.tif 000010